(57)【特許請求の範囲】
【請求項１】
筒形の陽極（１）と陰極（２）を交互に複数個、同心円状に極間距離をとり、重ねて配置して、その極間にあるハロゲンイオンを含有する水溶液を電気分解することにより、次亜ハロゲン酸と活性酸素を多く含む殺菌洗浄水を生成するようにし、前記筒形の陽極としてフェライトのパイプを用いる際に、外径が１ないし５ｍｍ異なる２本のフェライトのパイプと、その中間の径で厚さ１ないし２ｍｍ前後の導電性金属のパイプを端子本体（５）として挿入し、同軸に重ね、これらの間の隙間に加熱溶解した低融点金属又は水銀を注入浸透させたものを陽極として用いるようにしたことを特徴とする電解方法。
【請求項２】
中心になる陽極（１）はその中心軸方向に長い孔があるフェライトの丸棒またはフェライトのパイプであって、その孔径より僅かに小さい導電性の金属棒を端子本体（５）として挿入し、その金属棒端子本体の外周と孔の間に軟らかな導電性の低融点金属結合部（６）が全面に挟み込まれ、その長い棒状の陽極の外側に導電性の耐食性金属管を陰極（２）として同心に配置する請求項１記載の電解方法。
【請求項３】
フェライトの丸棒の中心軸方向に削孔された長孔（７）、またはフェライトのパイプの中に予め長い円筒形の軟らかな導電性の低融点金属結合部（６）を挿入しておき、外周にねじが切られた導電性の棒状の端子本体（５）をねじ込んで陽極とする請求項２記載の電解方法。
【請求項４】
導電性の端子本体（５）をねじ込む際に、予め挿入しておいた導電性の低融点金属結合部（６）を流動性が出るくらいに加熱するか、常温で液体である水銀を用いる請求項３記載の電解方法。
【請求項５】
筒形の陽極（１）と陰極（２）を同心円状に極間距離をとり、重ねて配置して、最も中央にある陽極（１）はその中心軸方向に長い孔（７）があるフェライトの丸棒または丸管であって、その中に予め長い円筒形の軟らかな導電性の低融点金属結合部（６）を挿入しておき、外周にねじが切られた導電性の棒状の端子本体（５）をねじ込んで陽極として、その外側に耐食性金属管を陰極（２）として同心に配置し、この極間にハロゲンイオンを含有する水溶液を送り込み電気分解を行い、殺菌洗浄水を生成するようにし、前記筒形の陽極としてフェライトのパイプを用いる際に、外径が１ないし５ｍｍ異なる２本のフェライトのパイプと、その中間の径で厚さ１ないし２ｍｍ前後の導電性金属のパイプを端子本体（５）として挿入し、同軸に重ね、これらの間の隙間に加熱溶解した低融点金属又は水銀を注入浸透させたものを陽極として用いるようにしたことを特徴とする電解装置。
【請求項６】
導電性の端子本体（５）を挿入する際に導電性の低融点金属を流動性が出るくらいに加熱するか、常温で液体である水銀を用いる請求項５記載の電解装置。
【請求項７】
前記筒形の陽極（１）と陰極（２）を夫々１以上交互に、同心円状に組み合わせ、垂直になるように電解殺菌洗浄水容器（１５）の中に設置し、その極間にハロゲンイオンを含有する水溶液を供給し、所定のハロゲン濃度に成るように電気分解を行い、生成した殺菌洗浄水を容器の外に取り出す請求項５又は６記載の電解装置。
【請求項８】
残留ハロゲン濃度センサー（２１）により電解殺菌洗浄水容器（１６）内の水の残留ハロゲン濃度を測定することにより、電気分解を制御し、電解殺菌洗浄水容器（１６）内の水の残留ハロゲン濃度が設定された濃度になるまで、容器内の水を電解で発生する気体によるエヤ−リフトにより、ハロゲンイオンを含有する水溶液の入り口（８）から極間反応部（１０）へ吸入し、電気分解反応により更に高濃度の次亜塩素酸や活性酸素に富む殺菌洗浄水として、電解殺菌洗浄水出口（９）から電解殺菌洗浄水容器（１６）へ戻し、設定された残留ハロゲン濃度に達するまで、この循環が繰り返され、設定された残留ハロゲン濃度に達した殺菌洗浄水を取り出し、用途に供すると共に新しいハロゲンイオンを含有する水溶液を補給する自動制御機構を備えている請求項５乃至７のいずれかに記載の電解装置。
【発明の詳細な説明】
【０００１】
【発明の属する技術分野】
本発明は、医療用具、食器・食材、手指等の殺菌洗浄のために、ハロゲンイオンを含有する水溶液を電気分解し、殺菌洗浄水を生成することの出来る電解方法と、その電解装置に関するものである。
【０００２】
【従来の技術】
従来の方法では、殺菌洗浄力のある電解水を生成する電極、特に強酸性で強酸化性の環境となる陽極には白金めっきチタン電極板が使用されていた、しかし長期間の使用には耐えないという問題があり、東京電気化学工業株式会社が開発したニッケルフェライト電極（特願昭５１−８３２４６）が耐蝕性がよい事から、代わって用いているが、殺菌洗浄効果を上げるため電流値を上げると端子部分が発熱し、フェライトは熱的なひずみを受けて破損したり、電解反応装置のプラスチックケースが熱膨張変形したりするという問題があった。
【０００３】
上記フェライト電極に関し、本発明者は下記の特許出願をしている。
（１）  特願平  ９−３６９４８７「電解装置」
（２）  特願平１０−１３４５０９「電解装置」
これらの発明に於いて、これまでの手洗い殺菌水装置で、同じ条件では白金めっきチタン電極の場合の３ないし５倍の長時間耐久性能を得ることが出来た。しかし更に高い殺菌洗浄効果を上げるため電流値を上げると端子部分が発熱する問題がある。また家庭内、病室など狭い場所でも簡単に取り付けられる為には更に小型でコンパクトな殺菌洗浄水生成装置が求められている。
【０００４】
【発明が解決しようとする課題】
これらの課題を解決するために、この発明では電極面積あたりの通電量を上げても長時間耐久性能の良い小型で電解効率の高い電解装置を提供することを目的としている。
【０００５】
【課題を解決するための手段】
前記課題を解決するため、この発明では電解装置を小型、コンパクトにするとともに長期間使用しても、電極の過熱によりプラスチックケースが熱膨張変形し、液漏れが起きないようにする為、ニッケルフェライト陽極の端子結合を改良すると共に丈夫な構造をとり易いように、全体を円筒形にした。
【０００６】
陽極と陰極を交互に複数個、同心円状に極間距離をとり、重ねて配置して、その極間にあるハロゲンイオンを含有する水溶液を電気分解して、殺菌洗浄水を生成するようにしたが、陽極としては白金より価格が安く、白金についで耐食性の高いニッケルフェライト電極を用いることにした。
【０００７】
陽極に於いてはハロゲンイオンが塩素または臭素となって析出して、直ちに水と反応して生成する塩酸などによる強酸性と、陽極の強い酸化性環境において陽極には高い耐食性の電極が要求され、是までの実績から選択したフェライトは通常の金属と違って電気伝導度が高くないこと、セラミックである為硬く脆いため、従来の方法で端子を溶接などで結合することが困難であり、本発明では端子とフェライト電極との接触面積を十分にとり、接触部分の導電性を高めるように工夫した。
また、筒形の陽極としてフェライトのパイプを用いる際に長いパイプの端末に端子をつけただけでは、電気伝導が不十分である為、外径が１ないし５ｍｍ異なる２本のフェライトのパイプとその中間の径の１ｍｍ前後の厚さの導電性金属のパイプを同軸に重ね、これらの間の隙間に加熱溶解した低融点金属を注入浸透させ、この導電性金属のパイプを端子本体として通電すると、その内側、外側の陽極フェライトのパイプに低い抵抗で電気を流すことが出来る。
この場合陰極としてはこの２枚重ね陽極フェライトのパイプの内側、外側に０．５〜５．０ｍｍの極間距離をおいて、耐食性のある導電性金属管を陰極として配すると効率の良い電解を行うことが出来る。同じことを繰り返すことにより更に何層もの同軸多層の円筒形電解装置を製作することが出来る。
【０００８】
本発明では、円筒構造の最中央にある陽極（１）はその中心軸方向に長い孔があるフェライトの丸棒、または丸管として、その孔径より僅かに小さい導電性の金属棒を端子本体（５）として挿入し、その金属棒端子本体の外周と孔の間に軟らかな導電性の低融点金属結合部（６）が全面に挟み込まれるように構成される陽極と、その長い陽極の外側に０．５〜５．０ｍｍの極間距離をおいて耐食性金属管を陰極（２）として同心に配置することが好ましい。
【０００９】
金属棒端子本体（５）としては、銅、砲金、真鍮、鉄、ステンレス、チタンなど通常用いられるものを使用し、陽極フェライトの丸棒（１）の中心軸方向に削孔された長孔（７）に予め軟らかな導電性の低融点金属結合部（６）を挿入しておき、その外周にねじが切られた導電性の前記金属棒端子本体（５）をねじ込むことにより長いフェライトと長い金属棒端子が広い面積で接触し、しかもこの間に低融点の軟らかな導電性の金属管が挿入されているので、金属棒端子本体をねじ込むことにより、端子とフェライトの隙間を埋め尽くし、端子からフェライトへの電気伝導が非常に良くなり電流値を上げても電圧が上がらない。即ち端子部分での異常な発熱を抑えることが出来る。
【００１０】
導電性の金属棒端子本体（５）をねじ込む際に低融点の軟らかな導電性の金属、例えば融点が80〜１８０℃の低融点合金を流動性が出るくらいに加熱するか、常温で液体である水銀を用いることにより更に端子からフェライトへの電気伝導が非常に良くなる。
【００１１】
筒形の陽極と陰極を交互に、同心円状に極間距離をとり、重ねて配置して、電解装置が構成されるが、最も中央にある陽極（１）はその中心軸に長い孔（７）があるフェライトの丸棒、または丸管で、予め軟らかな導電性のある厚さ０．５〜１ｍｍの低融点金属管をその長い孔に挿入しておき、孔径より僅かに小さく、その外周にねじが切られた導電性の金属棒を端子本体（５）として挿入すると、その金属棒端子本体が捻じ込まれ、その端子本体の外周と孔の間に軟らかな導電性金属が全面に挟み込まれ、その長い棒状の陽極の内部に長い端子が広い面積でフェライトに接触し電極に対し低い電圧で十分に通電することが出来る。この長い陽極の外側に０．５〜５．０ｍｍの極間距離をおいて耐食性金属管を陰極として同心に配置して、その極間にハロゲンイオンを含有する水溶液を送り込み、電気分解することにより、殺菌洗浄水を生成する電解装置を長寿命、小型化することが出来る。
【００１２】
導電性の金属棒端子本体を挿入する際に低融点の軟らかな導電性の金属を流動性が出るくらいに加熱するか、常温で液体である水銀を用いることにより端子からフェライトへの電気伝導が更に良くなり電流値を上げても電圧が上がらないために端子部分での異常な発熱を抑えることが出来るので、加工が簡単で、寿命の長い電解装置を作ることが出来る。
【００１５】
筒形の陽極と陰極を交互に、同心円状に組み合わせ（２０）、その部分が垂直になるように容器（１５）の中に設置しその極間にハロゲンイオンを含有する水溶液を供給し、所定の残留ハロゲン濃度に成るように電気分解を行う時に、極間反応部（１０）では電気分解反応が行われ、主に次亜ハロゲン酸と活性酸素が生成すると共に、電極面から副生する水素、酸素が発生して激しくあわ立って上昇する。この気泡の上昇、所謂エヤ−リフトにより電解装置の下にある入口（８）からハロゲンイオンを含有する水溶液が自然に吸い込まれ極間反応部で電解反応が行われて、生成した殺菌洗浄水は容器の出口（９）から外部に送りだされる。
【００１６】
容器（１６）の中にハロゲンイオンを含有する水を張り込み、前述の電解装置を端子カバー（１５）だけ水面上になるように浸漬して電気分解を行うと容器内の水は反応装置の下の入り口（８）からエヤ−リフトにより電解装置の下にある入口（８）からハロゲンイオンを含有する水溶液が自然に吸い込まれ、極間反応部で電解反応が行われて生成した殺菌洗浄水は容器の出口（９）から外部に送りだされ、是が繰り返され、容器内の残留ハロゲン濃度は逐次上昇してゆくので、残留ハロゲン濃度センサー（２１）により容器内の水の残留ハロゲン濃度が設定された濃度になるように、電気分解を制御すると共に生成した殺菌洗浄水を取り出し、同時にハロゲンイオンを含有する水溶液を補給する自動制御機構を備えているので常に希望する残留ハロゲン濃度の殺菌洗浄水を作ることが出来る。
【００１７】
【発明の実施の形態】
発明の実施の形態を実施例にもとづき図面を参照して説明する。
（実施例１）図１において、陽極（１）はニッケルフェライトの丸管（有効長さ２８０ｍｍ、外径２８ｍｍ、電極面積２．６ｄｍ２、陰極（２）はチタンの丸管（有効長さ２８０ｍｍ、内径３６ｍｍ、電極面積２．６ｄｍ２）であり、端子（３，４）は電極管を電極固定部品（１４）に固定する止めボルトと兼用していて、陽極端子も陰極端子も夫々管の両端に上下２箇所合計４箇所で１本の管を抑えている。
【００１８】
この実施例では陽極（１）にニッケルフェライトの丸管、陰極（２）にチタンの丸管を使っているが、小容量で小電流（５Amp 以下）の場合は陽極に白金めっきチタンと陰極にチタンの通常の組み合わせでも良く、筒形の陽極（１）と陰極（２）を交互に複数個、同心円状に極間距離をとり、重ねて配置するような場合にはニッケルフェライトを用いるより装置の組み立てが容易である。
【００１９】
図１でハロゲンイオンを含有する水は入口（８）から極間反応部に注入され電気分解を受けて、殺菌洗浄水となって出口（９）から外部に供給され、是に電解質水溶液の添加部と制御部をつければ小型で簡易な殺菌洗浄水生成装置とする事が出来て、水平または垂直に配置することも出来るので、水道の蛇口に直結して狭い場所でも使うことが出来る。
【００２０】
陽極（１）としてのニッケルフェライト丸管の電気伝導度を調べてみると図５、表１に示すように５Amp.ではニッケルフェライトの長手方向２点間の抵抗値は１００mmで８.３Ω、２００mmで１２.０Ω、３００mmでは １６.０Ωであり、かなり抵抗が大きくなる。図１に示すようにニッケルフェライト電極の両端近く円周にそって４箇所合計８箇所に固定ねじをかねて８本の端子を取り付けることにより５Amp.３００mm、で１０Ω の通電を行うことが出来た。
【００２１】
（実施例２）図２において、陽極（１）は外径２８ｍｍ、厚さ８ｍｍ、長さ２８０ｍｍのニッケルフェライトの筒で、極間距離４ｍｍを隔て、その外側の陰極（２）は外径４２．７ｍｍ、厚さ３ｍｍ、電極部長さ２８０ｍｍ、全長３２５．１ｍｍのＳＵＳ３１６Ｌパイプであって、その底部の非電導性材質から成る電極固定部１（１３）にはハロゲンイオンを含有する水溶液を極間反応部（１０）に供給する入り口（８）があり、最上部の電極固定部２（１４）には電解殺菌洗浄水出口（９）がある。
【００２２】
この実施例で、陽極（１）に押し出し成型後、焼結したフェライト管を用い、この管内に軟らかな導電性の低融点金属結合部（６）を事前に挿入しておき、そこに、上端に陽極端子（３）の取り付けられた端子本体（５）を押し込んで固定する。低融点金属としては鉛（ｍｐ３２７℃）、ウッド合金（ｍｐ７３℃、Bi50、Pb25、Sn13、Cd12）と水銀（常温で液体）を用いたが、これらの電気抵抗率は、鉛２０．８×１０−６Ω・ｃｍ、ウッド合金３１．３×１０−６Ω・ｃｍ、水銀９８．４×１０−６Ω・ｃｍであったが、ニッケルフェライトは０．２５Ω・ｃｍと非常に高いものであった。
【００２３】
鉛とウッド合金は１ｍｍ厚さの薄板を巻いたものをニッケルフェライトの筒の内側に貼り付けるように挿入し、融点近くまでニッケルフェライトの筒を加熱して軟らかくしてから予熱したSUS304の端子本体（５）をゆっくりと回すように挿入し、固定した。SUS304の電気抵抗率は７２×１０−６Ω・ｃｍであった。
ウッド合金はもちろん鉛の場合も、端子にねじ切りがしてあれば、加熱することなく十分に密着性のある端子本体（５）の挿入結合が可能であったが、加熱するとよりよい結果が得られた。
【００２４】
水銀は常温で液体であるので、電極固定部１（１３）と０リング（１２）で底部を封じたフェライトの長孔（７）の中に予め１５mlの水銀を入れ、そこに上から  陽極端子（３）付の端子本体（５）を静かに挿入すると、水銀は端子本体とフェライトの隙間に十分浸透して余った分が上に出てくるが、電極固定部２（１４）のＯリング（１２）と端子本体の上端にある、スペースにこの水銀は貯留される。この陽極の上の部分を電極固定部２（１４）とＯリングで密閉して、実施例１と同じように陽極に対する通電抵抗を測定した。
【００２５】
図３に示すように、▲２▼は導電性、低融点金属として鉛、ウッド合金、水銀を夫々にニッケルフェライト陽極（１）と端子本体（５）の間に挟みこみ、図５に示すようにニッケルフェライト陽極（１）の表面の２点と電源装置とを電線で繋ぎ端の１点を固定し他の１点は１００〜３００ｍｍの通電距離が取れるように位置を変えて５Amp.の電流を流しその抵抗値を測定した。
【００２６】
表１において、フェライトのみではその電気抵抗が大きい為、通電距離が長くなるほど通電抵抗が大きくなり、電解が困難になる 。鉛、ウッド合金、水銀を用いた場合いずれもその抵抗は大きく低減し、通電距離の影響は少なくなる。また融点近く加熱してから端子本体を挿入した場合はさらに良くなり、水銀は液体である為加熱することなく狭い隙間に浸透するのでこれらのテストの中では最も良い結果が得られた
【００２７】
この外側に陰極（２）としてＳＵＳ３１６Ｌのパイプを極間距離４ｍｍを隔て取り付け電極固定部２（１４）によって陽極と陰極とを固定すると、電解装置本体が出来上がる。
【００２８】
（実施例３）図４は実施例２で組み立てられた電解装置を用いて残留塩素濃度の高い殺菌洗浄水を作る装置の実施例を示すもので、の殺菌洗浄水容器（１６）の中に４セットの電解装置を設置し、ハロゲンイオンを含有する水として２．５％の食塩水溶液（電気伝導度４９，０００μ S／ｃｍ）を所定のＷＬ（設定水位）（２４）まで１６リッター入れ15Amp.で電解を行った。１５分毎に電流、電圧、残留塩素濃度を測定し、この結果を表２と図６に示す。
【００２９】
本実施例は、医療用具、病院のシーツなどを殺菌洗浄する為に残留塩素濃度の高い殺菌洗浄水１６リッターを短時間で生成させることを目的として実施したもので、陽極面積２．６ｄｍ２の電解装置を１セットだけ運転した場合と４セット同時に運転した場合の結果で、１セット３０分では６３０ｐ．ｐ．ｍ．４セットでは２５１０ｐ．ｐ．ｍ．であった。
【００３０】
【発明の効果】
本発明は、以上説明したように構成されていて、以下に記載されるような効果を奏する。
【００３１】
（ａ） 請求項１の発明によれば、電極が筒型で陽極、陰極が交互に同軸に重ねて配置され、小型、コンパクトであり丈夫な構造である上に、通常用いられる塩化ビニール樹脂製のケースも円筒型で簡単な構造で丈夫なものとする事が出来、長期間使用しても、電解装置からの液漏れがない。また図２に示すように端子を全て上端に取り付け端子カバー（５）の部分を水面上になるように電解装置を固定すれば、丈夫なケースに収めることなく直接目的とする水の容器の中に設置する事が出来、電極部の発熱は容器の水に吸収、冷却される。一方容器の水は極間反応部（１０）で発生する気体の発泡、上昇によるエヤ−リフトにより電解装置に吸入、電解され、排出されてポンプなしでも、容器内の水は自動的に循環し電解され残留塩素濃度を上げてゆくことが出来る。
（ｅ）筒形の陽極を複数同軸に用いる場合、最中央にある陽極（１）は端子を結合できるが、それより外側になるニッケルフェライト陽極は、それと同じようには出来ないので、径の異なるニッケルフェライト陽極を２本重ねにして、その間に円筒形の導電性金属の端子本体（５）を挿入し、導電性の低融点金属または水銀でニッケルフェライト陽極と端子本体とを結合し一体化した円筒形の陽極を構成し、その内と外側にそれぞれ０．５〜５．０ｍｍの極間距離をおいて円筒形の陰極を配置する。このように陽極を構成する事により、更に広い面積で端子結合を確実に行うこと出来るだけでなく、この陽極を裏表使うことが出来る。
【００３２】
（ｂ）  請求項２の発明によれば、端子本体（５）と低融点金属結合部（６）をニッケルフェライトの広い面積で接触、結合させることにより導電性を高めることが出来たので、耐食性は高いが、比抵抗が０．２５Ω・ｃｍであり、普通、電極に使う銅、白金、鉛などの１０−６Ω・ｃｍのオーダーと比べ著しく高いため、容量の大きな電極としては使用し難いという、ニッケルフェライトの欠陥を克服することが出来た。又低融点合金は組成により融点を任意に選ぶことが出来、ウッド合金は７３℃であり通常固体であるが、万一フェライトとの間に隙間が生じ電圧が高くなるとその部分で発熱し合金は溶融しその隙間を埋め電気抵抗が下がり、正常な電解が継続するという効果がある。
【００３３】
（ｃ）  請求項３の発明によれば、フェライトの丸棒の中心軸方向に削孔された長孔（７）、またはフェライトのパイプの中に予め低融点の金属管（６）を挿入しておき、外周にねじが切られた導電性の金属棒端子本体（５）をねじ込むことにより軟らかな低融点金属が端子本体とフェライトの隙間を埋めて結合を良くする。
【００３４】
（ｄ）  請求項４の発明によれば、加熱して液体になった導電性の低融点金属、またはすでに液体である水銀が端子本体とニッケルフェライトの隙間に浸透して端子本体からニッケルフェライトへの導電性はさらに良くなる。
【００３５】
（ｅ）  請求項５の発明によれば、筒形の陽極を複数同軸に用いる場合、最中央にある陽極（１）は請求項１の発明によって端子を結合できるが、それより外側になるニッケルフェライト陽極は、それと同じようには出来ないので、径の異なるニッケルフェライト陽極を２本重ねにして、その間に円筒形の導電性金属の端子本体（５）を挿入し、導電性の低融点金属または水銀でニッケルフェライト陽極と端子本体とを結合し一体化した円筒形の陽極を構成し、その内と外側にそれぞれ０．５〜５．０ｍｍの極間距離をおいて円筒形の陰極を配置する。このように陽極を構成する事により、更に広い面積で端子結合を確実に行うこと出来るだけでなく、この陽極を裏表使うことが出来る。
【００３６】
（ｆ） 請求項５の発明によれば、フェライトの丸棒または丸管は押し出し成型加工により３０ｃｍ以上、１ｍを越すような長いものも製作可能であり、この発明により端子本体の長さを長くすれば長い大きな電極を製作することも出来て、これを縦にして使えば非常に設置面積の小さな電解装置を設計することが出来、病院の集中治療室等の殺菌洗浄水生成装置として有用である。
また、筒形の陽極を複数同軸に用いる場合、最中央にある陽極（１）は端子を結合できるが、それより外側になるニッケルフェライト陽極は、それと同じようには出来ないので、径の異なるニッケルフェライト陽極を２本重ねにして、その間に円筒形の導電性金属の端子本体（５）を挿入し、導電性の低融点金属または水銀でニッケルフェライト陽極と端子本体とを結合し一体化した円筒形の陽極を構成し、その内と外側にそれぞれ０．５〜５．０ｍｍの極間距離をおいて円筒形の陰極を配置する。このように陽極を構成する事により、更に広い面積で端子結合を確実に行うこと出来るだけでなく、この陽極を裏表使うことが出来る。
【００３７】
（ｇ） 請求項６の発明によれば、前項のように長大なフェライト電極においては更に端子本体と長大なフェライト電極との間の導電性の良い結合が求められるのでさらに効果が大きい。
【００３８】
（ｈ） 請求項７の発明によれば、電解装置を直接殺菌洗浄水容器（１６）の中に設置することが出来るので、余分な配管がなく、狭いところにも設置することが出来、エヤ−リフトを利用して殺菌洗浄水容器（１６）の中の水は容器と電解装置の間をポンプなしでも循環し、繰り返し電解処理を受け、効率よくその残留ハロゲン濃度を高めてゆくことが出来る、この場合、ハロゲンイオンを含有する水として水道水や井水だけでなく、風呂水、プール水、養魚水槽水、汚水の合併処理水にハロゲンイオンを適宜添加したものを供給して、用水を浄化殺菌する事も出来る。
【００３９】
（ｉ） 請求項８の発明によれば、残留ハロゲン濃度の測定を、残留ハロゲン濃度センサー（２１）により行い、制御装置により電気分解を制御しているので、常に一定濃度の殺菌洗浄水を医療用具の殺菌洗浄や、院内感染防止対策のために安全に使用することが出来る。
【図面の簡単な説明】
【図１】円筒形の陽極と陰極で構成された電解装置の断面図である。
【図２】円筒形の陽極と陰極で構成された電解装置の陽極の内側に端子本体と低融点金属結合部を挿入した状態を示す断面図である。
【図３】実施例１においてニッケルフェライト陽極と端子の位置と結合の仕方で通電の電圧が変わる様子を調べる実験の方法を示す図である。
▲１▼  ニッケルフェライト陽極円筒表面の２点間に電流５Amp.を流し電圧を測定する。
▲２▼  ニッケルフェライト陽極円筒の内側に低融点金属結合部（６）と端子本体（５）を装着し円筒表面の２点間に電流５Amp.を流し電圧を測定する。
▲３▼  ニッケルフェライト陽極円筒の内側に水銀１５mlを先に入れてから、端子本体（５）を装着し円筒表面の２点間に電流５Amp.を流し電圧を測定する。
【図４】図２に示す電解装置を殺菌洗浄水容器（１６）の中に４セット装着した殺菌洗浄水生成装置の断面図である。
【図５】図４に示す殺菌洗浄水生成装置の上から見た平面図である。
【図６】２．６ｄｍ２電解装置１セットと４セット装着殺菌洗浄水生成装置の電解時間と残留ハロゲン濃度の測定結果を示すグラフである。
【符号の説明】
１  陽極
２  陰極
３  陽極端子
４  陰極端子
５  端子本体
６  低融点金属結合部
７  フェライトの長孔
８  ハロゲンイオンを含有する水溶液の入り口
９  電解殺菌洗浄水出口
１０  極間反応部
１１  シール部
１２  ０リング
１３  電極固定部  １
１４  電極固定部  ２
１５  端子カバー
１６  電解殺菌洗浄水容器
１７  蓋部
１８  底部
１９  ハロゲンイオンを含有する水溶液の供給口
２０  電解殺菌洗浄水の送出口
２１  残留ハロゲン濃度センサー
２２  電解装置
２３  電解装置固定部
２４  殺菌洗浄水水位（ＷＬ)
２５  テスト用端子（＋）
２６  テスト用端子（−）
【表１】
ニッケルフェライト電極通電５Amp.の電圧  V
0003757352.tif 000002
【図１】
0003757352.tif 000003
【図２】
0003757352.tif 000004
【図３】
0003757352.tif 000005
【図４】
0003757352.tif 000006
【図５】
0003757352.tif 000007
【図６】
0003757352.tif 000008